(57)【要約】【課題】製品寿命が長く、閉方向移動の制動力に影響を与えることなく、引戸の開方向移動の制動力を容易に調整することができる引戸の制動装置を提供する。【解決手段】引戸の閉方向移動を制動する独立の閉時制動機構と、引戸の開方向移動を制動する開時制動機構とを備え、上記開時制動機構が、引戸に設けられてピニオンを周囲に備えたロータリーダンパーと、上記ピニオンに常時噛み合い引戸とともに移動するラック３０と、このラック３０を上記移動方向へスライド自在に保持するラック保持材２３と、上記ラック３０の端部に当接することにより、このラック３０を引戸に対して相対的に移動させて上記ロータリーダンパーを回転させる停止部材２９とを有する引戸の制動装置であって、上記ラック３０が、直列に接続され得るラック単体３１からなり、上記ラック保持材２３が、上記ラック単体３１を着脱し得るものである。【選択図】図４
2015021263.tif 000002
【特許請求の範囲】
【請求項１】
引戸の閉方向移動を制動する独立の閉時制動機構と、引戸の開方向移動を制動する開時制動機構とを備え、
上記開時制動機構が、引戸に設けられてピニオンを周囲に備えた回転ダンパーと、上記ピニオンに常時噛み合い引戸とともに移動するラックと、このラックを上記移動方向へスライド自在に保持するラック保持材と、上記ラックの端部に当接することにより、このラックを引戸に対して相対的に移動させて上記回転ダンパーを回転させる停止部材とを有する引戸の制動装置であって、
上記ラックが、直列に接続され得るラック単体からなり、
上記ラック保持材が、上記ラック単体を着脱し得るものであることを特徴とする引戸の制動装置。
【請求項２】
ラック単体の一端部には、一端側の係合板と、雌部とが設けられるとともに、
上記ラック単体の他端部には、他端側の係合板と、他のラック単体の雌部に嵌合し得る雄部とが設けられ、
ラック保持材が、上記係合板に係合することによりラックを保持するスライド方向のリップ部と、このリップ部に形成されて上記係合板を通過させ得る切欠部とを有することを特徴とする請求項１に記載の引戸の制動装置。
【発明の詳細な説明】
【技術分野】
【０００１】
本発明は、引戸の制動装置に関するものである。
【背景技術】
【０００２】
引戸には、閉め忘れを防ぐために、閉方向移動が自重やばねなど自動的に行われ、開方向移動が手動により行われる構造（自閉式の構造）が多く採用されている。このような引戸においては、閉方向移動に必要な制動力は一定でよく、開方向移動に必要な制動力は上記手動の力に応じて調整可能であることが望ましい。勿論、どのような引戸であっても、製品寿命が長い方が望ましい。
【０００３】
引戸装置の製品寿命を長くしたものとして、制動用のラックの歯を欠けにくく且つ音鳴りを防止するために、引戸に固定された制動機構のピニオンに制動用のラックを常時噛み合わせた構成が提案されている（例えば、特許文献１参照）。この制動機構は、両方向性回転ダンパー（正・逆両回転方向に制動機能を有する回転式制動機構）を用いることにより、開閉の両方向で制動可能にされている。したがって、上記特許文献１に記載の制動装置は、両方向で制動可能な制動機構により、引戸の閉方向移動の制動と、開方向移動の制動とを行うものである。
【先行技術文献】
【特許文献】
【０００４】
【特許文献１】特許第４０９１０４４号公報
【発明の概要】
【発明が解決しようとする課題】
【０００５】
ところで、上記特許文献１に記載の制動装置では、引戸の閉方向移動の制動と、開方向移動の制動とを、一つの両方向性回転ダンパーにより行うもので、それぞれの制動力が等しくなる。このため、上記制動装置を自閉式の引戸に適用し、このような引戸が強い力で開方向移動されるような施設に設置された場合、開方向移動の制動力が不十分となり、引戸が開方向移動の際に破損しやすくなる。この破損を防止するために引戸の開方向移動の制動力を強めると、閉方向移動の制動力も強まるので、閉方向移動が遅くなるという問題がある。
【０００６】
そこで、本発明は、製品寿命が長く、閉方向移動の制動力に影響を与えることなく、引戸の開方向移動の制動力を容易に調整することができる引戸の制動装置を提供することを目的とする。
【課題を解決するための手段】
【０００７】
上記課題を解決するため、本発明の請求項１に係る引戸の制動装置は、引戸の閉方向移動を制動する独立の閉時制動機構と、引戸の開方向移動を制動する開時制動機構とを備え、
上記開時制動機構が、引戸に設けられてピニオンを周囲に備えた回転ダンパーと、上記ピニオンに常時噛み合い引戸とともに移動するラックと、このラックを上記移動方向へスライド自在に保持するラック保持材と、上記ラックの端部に当接することにより、このラックを引戸に対して相対的に移動させて上記回転ダンパーを回転させる停止部材とを有する引戸の制動装置であって、
上記ラックが、直列に接続され得るラック単体からなり、
上記ラック保持材が、上記ラック単体を着脱し得るものである。
【０００８】
また、本発明の請求項２に係る引戸の制動装置は、請求項１に記載の引戸の制動装置において、ラック単体の一端部には、一端側の係合板と、雌部とが設けられるとともに、
上記ラック単体の他端部には、他端側の係合板と、他のラック単体の雌部に嵌合し得る雄部とが設けられ、
ラック保持材が、上記係合板に係合することによりラックを保持するスライド方向のリップ部と、このリップ部に形成されて上記係合板を通過させ得る切欠部とを有するものである。
【発明の効果】
【０００９】
上記引戸の制動装置によると、製品寿命が長く、閉方向移動の制動力に影響を与えることなく、引戸の開方向移動の制動力を容易に調整することができる。
【図面の簡単な説明】
【００１０】
【図１】本発明の実施の形態に係る引戸の制動装置の概略正面図であり、引戸が閉の状態を示す。
【図２】同制動装置の概略正面図であり、引戸が開の状態を示す。
【図３】同制動装置の要部拡大図であり、（ａ）は正面を示し、（ｂ）は戸先側から見た横断面を示す。
【図４】同制動装置におけるガイドレールおよびラックの斜視図である。
【図５】同ラックを構成するラック単体の拡大斜視図である。
【図６】同ラック単体の拡大図であり、（ａ）は正面を示し、（ｂ）は底面を示す。
【図７】同制動装置の動作を説明する要部拡大正面図であり、（ａ）は引戸が開方向移動を始めた状態の図、（ｂ）はラックが停止部材に当接した状態の図、（ｃ）は引戸に制動力が発生している状態の図、（ｄ）は引戸が戸尻に達した状態の図である。
【図８】ラック単体の継ぎ足しを説明するための要部拡大斜視図であり、（ａ）はラック単体を継ぎ足す前の状態を示す図、（ｂ）はラック単体を継ぎ足した後の状態を示す図である。
【発明を実施するための形態】
【００１１】
以下、本発明の実施の形態に係る引戸の制動装置について図面に基づき説明する。
まず、上記制動装置を具備した引戸の概略について説明する。
この引戸は、図１および図２に示すように、上枠２、戸先側竪枠３、戸尻側竪枠４、および下枠（図示省略）からなる枠内を左右に移動することにより、開口部（上枠２、戸先側竪枠３、戸袋５、および下枠から形成される）６を開閉するものである。なお、以下では、引戸１の戸袋５側（右方向つまり戸尻方向）への移動を開方向移動といい、引戸１の開口部６側（左方向つまり戸先方向）への移動を閉方向移動といい、これらを併せて開閉方向移動という。
【００１２】
上記引戸１の開閉方向移動のために、上記上枠２には左右に亘るレール部２２を備えたガイドレール２１が設けられ、上記引戸１には上記レール部２２の上を走行し得る戸車１６が走行用ブラケット１５を介して設けられている。また、上記ガイドレール２１は、引戸１が自重により自動的に閉方向移動するように、傾斜して（レール部２２の戸先側が戸尻側よりも低くなるように）配置されている。すなわち、上記引戸１は自閉式の構造である。
【００１３】
また、上記引戸１の制動装置１０は、引戸１の閉方向移動を制動する閉時制動機構１１と、引戸１の閉方向移動を制動する開時制動機構１２とを具備する。これら閉時制動機構１１と開時制動機構１２とは、互いに独立しており、それぞれの制動力に影響を与え合うものではない。
【００１４】
上記閉時制動機構１１は、公知のものであってもよく、例えば、引戸１に設けられて、特開２０１３−９６２０３号公報に記載の構成を有する。一方、開時制動機構１２は、引戸１および上枠２に設けられて、制動力を容易に調整し得る構成を有する。
【００１５】
以下、本発明の要旨である上記開時制動機構１２について詳細に説明する。
上記上枠２には、図３（ａ）および（ｂ）に示すように、引戸１の開方向移動を制動するラック３０が、ラック保持材２３を介して配置されている。このラック保持材２３は、上記ガイドレール２１に設けられて、ラック３０を引戸１の開閉方向にスライド自在に保持するものである。言い換えれば、上記ガイドレール２１は、図３（ｂ）および図４に詳しく示すように、水平部および垂直部からなる横断面略Ｌ字型であり、上記水平部に上方へ突出する上記レール部２２が設けられ、上記垂直部に上記ラック保持材２３が設けられている。
【００１６】
上記引戸１には、図３（ａ）および（ｂ）に示すように、上記ラック３０と常時噛み合うピニオン１９を周囲に備えたロータリーダンパー（回転ダンパー）１８が、制動用ブラケット１７を介して設けられている。この制動用ブラケット１７は、上記走行用ブラケット１５に取り付けられおり、言い換えれば、引戸１に間接的に固定されている。上記ロータリーダンパー１８は、その回転軸を鉛直方向にして、上記ピニオン１９と同心である。また、上記ロータリーダンパー１８は、ピニオン１９がラック３０と噛み合いながら回転する際の制動力を発生させるために、クラッチを内蔵している。
【００１７】
上記ラック保持材２３は、図３（ｂ）および図４に示すように、概略的にはリップ溝型鋼を小さくした形状であり、垂直のウェブ部２４と、このウェブ部２４の上下から水平に突出したフランジ部２５と、上下のフランジ部２５の突出端から互いに近づくように垂直に突出したリップ部２６とからなる。これら上下のリップ部２６は、互いに接しておらず、つまり長手（左右）方向に亘る開口２７を有している。また、図４に示すように、上記ラック保持材２３は、リップ部２６に形成された矩形状の２つの切欠部２８を左右方向に所定間隔で有している。これら切欠部２８が、ラック３０をラック保持材２３に着脱する部分となる。
【００１８】
上記ラック保持材２３には、図１および図４に示すように、リップ部２６の開口２７を部分的に塞く停止部材２９が設けられている。この停止部材２９が設けられている位置は、引戸１が戸尻に達した際におけるピニオン１９の位置から僅かに戸尻側である。したがって、上記停止部材２９は、開方向移動する引戸１とともにスライド移動するラック３０の戸尻側（右側）端に当接することにより、上記ラック３０を引戸１に対して相対移動させて上記ロータリーダンパー１８を回転させるものである。
【００１９】
上記ラック３０は、図４に示すように、複数（例えば３つ）のラック単体３１を直列に接続したものである。このため、上記ラック３０の長さは、ラック単体３１の接続数を変更することにより調整可能である。
【００２０】
上記各ラック単体３１は、図５および図６に示すように、所定長さ（例えば１１０ｍｍ）の本体部３２と、この本体部３２の一端側（左側）に設けられた雌側接続部３４と、上記本体部３２の他端側（右側）に設けられた雄側接続部３５とからなる。すなわち、ラック単体３１は、その雌側接続部３４／雄側接続部３５により、他のラック単体３１の雄側接続部３５／雌側接続部３４と接続し得るように構成されている。具体的に説明すると、上記本体部３２は、正面に上記ピニオン１９に噛み合うための歯３３が上記所定長さに亘って形成されている。また、上記本体部３２には、上記雌側接続部３４として、当該本体部３２の一端面（左側面）から突出するとともに当該本体部３２の背面と面一の雌側係合板４２が設けられている。この雌側係合板４２には、雌部となる穴４３が形成されている。一方、上記本体部３２には、上記雄側接続部３５として、当該本体部３２の他端部（右側部）の背面から上記雌側係合板４２の厚さだけ引っ込んだ段差部５２と、この段差部５２から上記背面と面一になるまで突出した雄部としての突起５３と、上記段差部５２の一端側（左側）において上下面から突出した雄側係合板（上記雌側係合板４２と面一である）５４とが設けられている。上記段差部５２は、他のラック単体３１の雌側係合板４２を当接するものであるから、その左右幅は雌側係合板４２の左右幅と同一である。したがって、雄側接続部３５と他のラック単体３１の雌側接続部３４との接続は、突起５３（雄部）を他のラック単体３１の穴４３（雌部）に嵌合させて、段差部５２に他のラック単体３１の雌側係合板４２を当接することにより行われる。
【００２１】
図４に示すように、上記ラック単体３１において、本体部３２の前後幅がラック３０保持部のフランジ部２５の前後幅より大きくされ、歯３３の上下幅がラック３０保持部のリップ部２６の開口２７より小さくされている。すなわち、図３（ｂ）および図４に示すように、ラック単体３１は、ラック保持材２３に保持された状態で、上記歯３３がリップ部２６の開口２７から水平に突出するように構成されている。また、上記係合板４２，５４は、その上下幅がラック保持材２３のリップ部２６の開口２７よりも大きく、且つリップ部２６の上下のフランジ部２５の間隔よりも小さくされている。すなわち、ラック単体３１は、上記係合板４２，５４がリップ部２６に係合することで、ラック保持材２３から脱落しないように構成されている。また、図５および図６に示すように、上記係合板４２，５４の正面側における上下端近傍には、左右方向に沿った突条６０がそれぞれ設けられている。これら突条６０は、ラック３０のスライド移動による係合板４２，５４の摩耗を防止するとともに、ラック３０のスライド移動をスムーズにするものである。
【００２２】
ここで、上述のように、リップ部２６の切欠部２８はラック３０を着脱する部分であるから、両係合板４２，５４の上下幅は、リップ切欠部２８の上下幅よりも小さくされている。また、図４に示すように、ラック単体３１における両係合板４２，５４の間隔は、リップ部２６における２つの切欠部２８の上記所定間隔と同一にされている。すなわち、ラック保持材２３は、リップ部２６における２つの切欠部２８にラック単体３１における両係合板４２，５４をそれぞれ通過させることで、ラック単体３１を着脱するように構成されている。また、リップ部２６の切欠部２８において、ラック単体３１の雄側接続部３５／雌側接続部３４と他のラック単体３１の雌側接続部３４／雄側接続部３５とを接続可能にするために、上記切欠部２８の左右幅は、雌側係合板４２の左右幅と雄側係合板５４の左右幅とを加えた分よりも大きくされている。
【００２３】
以下、上記引戸１の制動装置１０の動作について説明する。
図７（ａ）に示すように、引戸１に開方向移動のための力を加えると、引戸１が開方向移動する。この引戸１の開方向移動に伴って、引戸１に設けられたピニオン１９が移動し、このピニオン１９に噛み合っているラック３０がラック保持材２３をスライド移動する。
【００２４】
そして、図７（ｂ）に示すように、ラック３０の戸尻側（右側）端が停止部材２９に当接すると、ラック３０のスライド移動は停止するが、引戸１の開方向移動は継続する。すなわち、ラック３０が引戸１に対して相対的に移動する。これにより、図７（ｃ）に示すように、ピニオン１９がラック３０に噛み合いながら回転することになり、引戸１に制動力が発生する。この制動力により、引戸１は戸尻側に移動するにしたがって減速する。このため、戸尻に達した引戸１の速度は、引戸１およびその周辺物を損傷しない程度にまで低下する。そして、戸尻において、引戸１は図示しないストッパーにより係止され、図７（ｄ）に示すように、開の状態が維持される。
【００２５】
ここで、開方向移動のために引戸１に加えられる力が強いような施設だと、上記ラック３０を長くして、制動距離を長くする必要がある。この場合、まず、ラック３０をスライド移動させて、図８（ａ）に示すように、ラック３０の最も戸先側の雌側係合板４２を戸尻側の切欠部２８に位置させる。その後、継ぎ足すラック単体３１の雌側係合板４２および雄側係合板５４を、戸先側の切欠部２８および戸尻側の切欠部２８にそれぞれ通過させる。そして、継ぎ足されるラック単体３１の雌側係合板４２の穴４３に、継ぎ足すラック単体３１の突起５３を嵌合させる。こうして、図８（ｂ）に示すように、新たにラック単体３１が継ぎ足される。
【００２６】
逆に、開方向移動のために引戸１に加えられる力が弱いような施設だと、上記ラック３０を短くして、制動距離を短くする必要がある。この場合、上述した新たにラック単体３１を継ぎ足す手順と逆の手順を行う。
【００２７】
このように、上記引戸１の制動装置１０によると、ピニオン１９がラック３０に乗り上げることなく常時噛み合っているので、音鳴りを防止するとともに、歯３３の欠損を防止して製品寿命が長く、また、独立の閉時制動機構１１により引戸１の閉方向移動の制動力が影響を受けることなく、ラック単体３１の接続部３４，３５により容易にラック３０の長さを調整することができる。
【００２８】
また、ラック３０が直列に接続されたラック単体３１からなり、各ラック単体３１が一端部および他端部においてリップ部２６に係合する係合板４２，５４が設けられているので、ラック保持材２３に保持されたラック３０の反りを抑えることができる。
【００２９】
さらに、接合板に設けられた突条６０により、係合板４２，５４の摩耗を防止して製品寿命をより長くすることができるとともに、ラック３０のスライド移動をスムーズにすることができる。
【００３０】
また、ラック３０の歯３３が水平に突出するとともに、ピニオン１９の回転軸が鉛直方向なので、ラック３０の歯３３およびピニオン１９への埃などの堆積を防止することができる。
【００３１】
また、ラック単体３１における両係合板４２，５４の間隔と、リップ部２６における２つの切欠部２８の上記所定間隔とが同一なので、両係合板４２，５４を２つの切欠部２８に同時に通過させることにより、ラック単体３１の着脱が非常に容易であるから、さらに容易にラック３０の長さを調整することができる。
【００３２】
ところで、上記実施の形態では、雌部としての穴４３および雄部としての突起５３について、その形状を説明しなかったが、これらが嵌合し得るものであればよく、例えば短円柱形状である。また、この短円柱形状にキー部分を加えた形状でもよい。この形状であれば、より強固にラック単体３１を接続することができる。
【００３３】
また、上記実施の形態では、上記突条６０が係合板４２，５４の正面側に設けられたものして説明したが、係合板４２，５４の裏面側に設けられたものであってもよい。このようにすることで、さらに一層、係合板４２，５４の摩耗を防止して製品寿命をより長くすることができるとともに、ラック３０のスライド移動をスムーズにすることができる。
【００３４】
さらに、上記実施の形態では、ラック３０の歯３３が水平に突出するとして説明したが、これに限定されるものではなく、歯３３の突出する向きが水平から下方の間のいずれかであればよい。
【００３５】
また、上記実施の形態では、リップ部２６に形成された切欠部２８が２つとして説明したが、この数に限定されるものではなく、必要に応じて適宜変更される。
また、上記実施の形態では、レール部２２の戸先側が戸尻側よりも低くなるようにガイドレール２１が配置されるとして説明したが、自閉式の構造であれば、これに限定されない。例えば、レール部２２が水平になるようにガイドレール２１を配置するとともに、公知の自閉手段（例えば、ぜんまいばねや引きばねなど）を設けて、引戸１が自動的に閉方向移動するようにしてもよい。
【符号の説明】
【００３６】
１  引戸
２  上枠
１０  制動装置
１２  開時制動機構
１８  ロータリーダンパー
１９  ピニオン
２１  ガイドレール
２３  ラック保持材
２４  ウェブ部
２５  フランジ部
２６  リップ部
２７  開口
２８  切欠部
２９  停止部材
３０  ラック
３１  ラック単体
３２  本体部
３３  歯
３４  雌側接続部
３５  雄側接続部
４２  雌側係合板
４３  穴
５２  段差部
５３  突起
５４  雄側係合板
６０  突条
【図１】
2015021263.tif 000003
【図２】
2015021263.tif 000004
【図３】
2015021263.tif 000005
【図４】
2015021263.tif 000006
【図５】
2015021263.tif 000007
【図６】
2015021263.tif 000008
【図７】
2015021263.tif 000009
【図８】
2015021263.tif 000010